(57)【要約】【課題】  グレーレベルの線形性が向上し、画質が改善されるサブフィールド方式によるＰＤＰ装置及びその駆動方法を提供する。【解決手段】  （ａ）偶数の光波を発生させるための第１イベント波形及び奇数の光波を発生させるための第２イベント波形をサブフィールドに割当てる段階と、（ｂ）割当てられたイベント波形によって、光波を発生させるためのサステインパルスを出力する段階とを含むことを特徴とするサブフィールド方式によるＰＤＰ装置を駆動する方法である。【選択図】      図５
2005070784.tif 000002
【特許請求の範囲】
【請求項１】
サブフィールド方式によるＰＤＰ装置を駆動する方法において、
（ａ）偶数の光波を発生させるための第１イベント波形及び奇数の光波を発生させるための第２イベント波形をサブフィールドに割当てる段階と、
（ｂ）割当てられたイベント波形によって、光波を発生させるためのサステインパルスを出力する段階とを含むことを特徴とする方法。
【請求項２】
前記（ａ）段階は、
グレーレベルを表現するための各サブフィールドに対して、グレーレベルの線形性が保証されるように前記第１イベント波形及び前記第２イベント波形のうち何れか一つを選択する段階を含むことを特徴とする請求項１に記載の方法。
【請求項３】
前記（ａ）段階は、
グレーレベルを表現するための各サブフィールドに対して、グレーレベルによって表現される実際輝度が理論的に要求された輝度と同一になるように前記第１イベント波形及び前記第２イベント波形のうち何れか一つを選択する段階を含むことを特徴とする請求項１に記載の方法。
【請求項４】
前記（ｂ）段階は、
（ｂ１）前記第１イベント波形が割当てられた場合には、偶数の光波を発生させるＸ電極のサステインパルス及びＹ電極のサステインパルスを出力する段階と、
（ｂ２）前記第２イベント波形が割当てられた場合には、奇数の光波を発生させるＸ電極のサステインパルス及びＹ電極のサステインパルスを出力する段階とを含むことを特徴とする請求項１に記載の方法。
【請求項５】
前記第１イベント波形は、
Ｙ電極のサステインパルスからサステイン区間が始まって、Ｘ電極とＹ電極交互にサステインパルスが発生し、Ｘ電極の最後の正常サステインパルスの次に前記Ｘ電極の最後の正常サステインパルスより幅の狭いＸ電極のサステインパルスが印加され、Ｘ電極の消去パルスが最後に発生することによって、サステイン区間が終了する駆動波形であることを特徴とする請求項１ないし４のうち何れか一項に記載の方法。
【請求項６】
前記第２イベント波形は、
Ｙ電極のサステインパルスからサステイン区間が始まって、Ｘ電極とＹ電極交互にサステインパルスが発生し、Ｙ電極のサステインパルスが最後に発生し、Ｘ電極の最後の正常サステインパルスの次にＸ電極の消去パルスが最後に発生することによってサステイン区間が終了する駆動波形であることを特徴とする請求項１ないし４のうち何れか一項に記載の方法。
【請求項７】
サブフィールド方式によるＰＤＰ装置において、
偶数の光波を発生させるための第１イベント波形及び奇数の光波を発生させるための第２イベント波形をサブフィールドに割当てるイベント波形割当て部と、
割当てられたイベント波形によって、偶数の光波を発生させるためのサステインパルスを出力する第１イベント波形発生部と、
割当てられたイベント波形によって、奇数の光波を発生させるためのサステインパルスを出力する第２イベント波形発生部とを含むことを特徴とするＰＤＰ装置。
【請求項８】
前記イベント波形割当て部は、
グレーレベルを表現するための各サブフィールドに対して、グレーレベルの線形性が保証されるように前記第１イベント波形及び前記第２イベント波形のうち何れか一つを選択することを特徴とする請求項７に記載のＰＤＰ装置。
【請求項９】
前記イベント波形割当て部は、
グレーレベルを表現するための各サブフィールドに対して、グレーレベルによって表現される実際輝度が理論的に要求された輝度と同一になるように前記第１イベント波形及び前記第２イベント波形のうち何れか一つを選択することを特徴とする請求項７に記載のＰＤＰ装置。
【請求項１０】
前記第１イベント波形発生部は、
各サブフィールドに対して割当てられた前記第１イベント波形によって、偶数の光波を発生させるＸサステインパルス及びＹサステインパルスを出力することを特徴とする請求項７に記載のＰＤＰ装置。
【請求項１１】
前記第２イベント波形発生部は、
各サブフィールドに対して割当てられた前記第２イベント波形によって、偶数の光波を発生させるＸサステインパルス及びＹサステインパルスを出力することを特徴とする請求項７に記載のＰＤＰ装置。
【請求項１２】
前記第１イベント波形は、
Ｙ電極のサステインパルスからサステイン区間が始まって、Ｘ電極とＹ電極交互にサステインパルスが発生するが、Ｘ電極の最後の正常サステインパルスの次に前記Ｘ電極の最後の正常サステインパルスより幅の狭いＸ電極のサステインパルスが印加され、Ｘ電極の消去パルスが最後に発生することによってサステイン区間が終了する駆動波形であることを特徴とする請求項７に記載のＰＤＰ装置。
【請求項１３】
前記第２イベント波形は、
Ｙ電極のサステインパルスからサステイン区間が始まって、Ｘ電極とＹ電極とに交互サステインパルスが発生し、Ｙ電極のサステインパルスが最後に発生し、Ｘ電極の最後の正常サステインパルスの次にＸ電極の消去パルスが最後に発生することによってサステイン区間が終了する駆動波形であることを特徴とする請求項７に記載のＰＤＰ装置。
【請求項１４】
デジタルＴＶ、ＰＤＡ、ウェブパッド、及び携帯電話のうち何れか一つを含むことを特徴とする請求項７ないし１３のうち何れか一項に記載のＰＤＰ装置。
【発明の詳細な説明】
【技術分野】
【０００１】
本発明はプラズマディスプレイパネル（以下、ＰＤＰという）装置に係り、さらに詳細にはサブフィールド方式によるＰＤＰ装置及びその駆動方法に関する。
【背景技術】
【０００２】
ＰＤＰ装置は、二枚の薄いガラス基板間に混合ガスを注入し、電圧を加えてネオン光が発光する現象を利用した平板ディスプレイ装置である。さらに具体的にＡ電極及びＹ電極にパルス状の電位差を形成して放電し、Ｙ電極へのＸ電極の放電を誘導し、放電過程で生成した真空紫外線によって赤色（Ｒ）、緑色（Ｇ）、青色（Ｂ）の蛍光体を発光させてディスプレイ映像を表示する。
【０００３】
ＰＤＰ装置でグレーレベル（ピクセルの輝度を表す）を表現する方法にはＰＤＭ（Ｐｕｌｓｅ  Ｄｅｎｓｉｔｙ  Ｍｏｄｕｌａｔｉｏｎ）方式及びＡＤＳ（Ａｄｄｒｅｓｓ  Ｄｉｓｐｌａｙ  Ｓｅｐｅｒａｔｅｄ）方式があるが、前者のグレー逆転現象のために、後者が一般的に使われる。
【０００４】
ＡＤＳ方式は、８個ないし１０個のサブフィールドを利用して２５６個のグレーレベルを表現する方式である。以下では、‘サブフィールド方式’と略称する。
【０００５】
図１は、サブフィールド方式によるグレーレベル表現方法を表す概略図である。８個のサブフィールド（ＳＦ１ないしＳＦ８）を利用して各ピクセルの輝度を表し、各ピクセルの輝度は、２５６個のグレーレベルで表現されうる。グレーレベルは、各ピクセルの輝度を表現する数値であって、２５６個のレベルを有する。これをピクセルの明暗を表現するという意味で‘灰色度’ともいい、またはピクセルの濃淡を表現するという意味で‘階調’ともいう。各サブフィールドは、リセット区間、アドレス区間、及びサステイン区間に分けられる。このうち、リセット区間及びアドレス区間はどんなサブフィールドでも一定サイズを有するが、サステイン区間は各サブフィールド重量によって相異なるサイズを有する。
【０００６】
図２は、サブフィールド重量を利用したグレーレベルの表現方法を表す参考図である。サブフィールドＳＦ１、ＳＦ２、ＳＦ３、ＳＦ４、ＳＦ５、ＳＦ６、ＳＦ７、及びＳＦ８はそれぞれ１、２、４、８、１６、３２、６４、１２８（すなわち、２ｎー１、ｎはサブフィールド番号である）のサブフィールド重量を有する。各サブフィールド重量の総和は２５６となって、２５６（０ないし２５５）個のグレーレベルを表現する。
【０００７】
例えば、グレーレベル３を表現するためにサブフィールドＳＦ１及びＳＦ２が選択され、グレーレベル１２７を表現するためにはサブフィールドＳＦ１、ＳＦ２、ＳＦ３、ＳＦ４、ＳＦ５、ＳＦ６、及びＳＦ７が選択される。選択されたサブフィールドに含まれるサステインパルスの総和でピクセルの輝度を表現する。理論的には、サブフィールドに含まれるサステインパルスの数が表現しようとするグレーレベルと比例関係にあると仮定してＰＤＰ装置が駆動される。
【０００８】
図３Ａ及び図３Ｂは、従来のサブフィールド方式による各サステインパルス及び光波型の一例を表す参考図である。
【０００９】
図３Ａを参照すれば、サブフィールド方式による実際駆動波形の一例が示されている。Ｙ電極のサステインパルスの数をＮと仮定すれば、これにより誘導されるＸ電極のサステインパルスの数はＮ−１となる。
【００１０】
例えば、サブフィールドＳＦ１の場合、サステイン区間でＹ電極は３個のサステインパルスを、Ｘ電極は２個のサステインパルスを有し、これらの総和である５個の光波が発生する。サブフィールドＳＦ２の場合、サステイン区間でＹ電極は５個のサステインパルスを、Ｘ電極は４個のサステインパルスを有し、これらの総和である９個の光波が発生する。
【００１１】
このような従来のサブフィールド方式によれば、表現しようとするグレーレベルに対する実際駆動される輝度の関係は、図３Ｂの通りである。すなわち、表現しようとする要求輝度は、グレーレベル１，２，３，４，．．．に対して５，１０，１５，２０，．．．と線形的であることが望ましいが、実際駆動される輝度は５，９，１４，１９，．．．などで線形的な数値と一定な誤差があることが分かる。これはサブフィールドでＹ電極サステインパルスをＮ個と仮定する時、Ｘ電極のサステインパルスはＮ−１個と、これらの和であるサステインパルスは２Ｎ−１個となって常に奇数個になるためである。
【００１２】
すなわち、従来のサブフィールド方式によれば、偶数個のサステインパルスを表現できないので、映像信号に対するグレーレベルの線形性を保証できなくて、画面の階調が滑らかに表現されない問題点がある。
【特許文献１】米国特許第５，９４３，０３２号
【特許文献２】米国特許第６，０８８，００９号
【特許文献３】米国特許公開第２００３／００２５６５３号
【特許文献４】欧州特許第４８８８９１Ａ２号
【発明の開示】
【発明が解決しようとする課題】
【００１３】
本発明が解決しようとする目的は、グレーレベルの線形性を保証するサブフィールド方式によるＰＤＰ装置及びその駆動方法を提供することである。
【課題を解決するための手段】
【００１４】
前記目的を達成するために本発明のサブフィールド方式によるＰＤＰ装置を駆動する方法において、（ａ）偶数の光波を発生させるための第１イベント波形及び奇数の光波を発生させるための第２イベント波形をサブフィールドに割当てる段階と、（ｂ）割当てられたイベント波形によって、光波を発生させるためのサステインパルスを出力する段階と、を含むことを特徴とする。
【００１５】
前記（ａ）段階は、グレーレベルを表現するための各サブフィールドに対して、グレーレベルの線形性が保証されるように前記第１イベント波形及び前記第２イベント波形のうち何れか一つを選択する段階を含むことが望ましく、特にグレーレベルによって表現される実際輝度が理論的に要求された輝度と同一になるようにイベント波形を選択する段階を含むことが望ましい。
【００１６】
前記（ｂ）段階は、（ｂ１）前記第１イベント波形が割当れられた場合には、偶数の光波を発生させるＸ電極のサステインパルス及びＹ電極のサステインパルスを出力する段階と、（ｂ２）前記第２イベント波形が割当てられた場合には、奇数の光波を発生させるＸ電極のサステインパルス及びＹ電極のサステインパルスを出力する段階とを含むことが望ましい。
【００１７】
前記第１イベント波形は、Ｙ電極のサステインパルスからサステイン区間が始まって、Ｘ電極とＹ電極交互にサステインパルスが発生し、Ｘ電極の最後の正常サステインパルスの次にＸ電極のサステインパルスより幅の狭いＸ電極のサステインパルスが印加され、Ｘ電極の消去パルスが最後に発生することによってサステイン区間が終了する駆動波形であることを特徴とすることが望ましく、前記第２イベント波形は、Ｙ電極のサステインパルスからサステイン区間が始まって、Ｘ電極とＹ電極交互にサステインパルスが発生するが、Ｙ電極のサステインパルスが最後に発生し、Ｘ電極の最後の正常サステインパルスの次にＸ電極の消去パルスが最後に発生することによってサステイン区間が終了する駆動波形であることを特徴とすることが望ましい。
【００１８】
一方、本発明の他の分野によれば、前記目的は、サブフィールド方式によるＰＤＰ装置において、偶数の光波を発生させるための第１イベント波形及び奇数の光波を発生させるための第２イベント波形をサブフィールドに割当てるイベント波形割当て部と、割当てられたイベント波形によって、偶数の光波を発生させるためのサステインパルスを出力する第１イベント波形発生部と、割当てられたイベント波形によって、奇数の光波を発生させるためのサステインパルスを出力する第２イベント波形発生部とを含むことを特徴とするＰＤＰ装置によっても達成される。
【００１９】
前記イベント波形割当て部は、グレーレベルを表現するための各サブフィールドに対して、グレーレベルの線形性が保証されるように前記第１イベント波形及び前記第２イベント波形のうち何れか一つを選択することを特徴とすることが望ましく、特に、グレーレベルによって表現される実際輝度が理論的に要求された輝度と同一になるようにイベント波形を選択することが望ましい。
【００２０】
前記第１イベント波形発生部は、各サブフィールドに対して割当てられた前記第１イベント波形によって、偶数の光波を発生させるＸサステインパルス及びＹサステインパルスを出力することを特徴とすることが望ましく、前記第２イベント波形発生部は、各サブフィールドに対して割当てられた前記第２イベント波形によって、偶数の光波を発生させるＸサステインパルス及びＹサステインパルスを出力することを特徴とすることが望ましい。
【００２１】
一方、本発明によるＰＤＰ装置では、デジタルＴＶ、ＰＤＡ、ウェブパッド、及び携帯電話のうち何れか一つを含むことが望ましい。
【発明の効果】
【００２２】
本発明によれば、偶数個のサステインパルスも駆動できるので、表現しようとするグレーレベルによって各サブフィールドに偶数または奇数の光波を発生させるイベント波形を割当ててグレーレベルの線形性を保証する階調を表現できる。したがって、ピクセルの輝度（階調）がさらに滑らかに表現されるように画質を改善できる。
【発明を実施するための最良の形態】
【００２３】
以下では、添付された図面を参照して本発明の望ましい実施例について詳細に説明する。
【００２４】
図４は、本発明によるＰＤＰ装置１の概要図である。本発明によるＰＤＰ装置１は、グレーレベル調整部４０１、サブフィールド処理部４０２、駆動波形発生部４０３、データ駆動部４０４、サステイン電極駆動部４０５、及びＰＤＰパネル４０６を備える。
【００２５】
グレーレベル調整部４０１は、映像信号を入力され、入力された映像信号からピクセルの輝度を表現するために適当なグレーレベルを設定し、設定されたグレーレベルを具現するために適切なサブフィールドを選択し、サブフィールド選択情報をサブフィールド処理部４０２に伝達する。
【００２６】
サブフィールド処理部４０２は、グレーレベル調整部４０１からサブフィールド選択情報を伝達され、選択された各サブフィールドのリセット区間、アドレス区間、サステイン区間のための転換タイミング信号を発生させ、これを駆動波形発生部４０３及びデータ駆動部４０４に伝達する。
【００２７】
駆動波形発生部４０３は、伝達された転換タイミング信号によって、サステイン区間でサステイン電極（Ｘ電極及びＹ電極）に印加される電圧駆動波形を発生させ、発生された駆動波形をサステイン電極駆動部４０５に伝達する。
【００２８】
データ駆動部４０４は、サブフィールド処理部４０２から伝達された転換タイミング信号によって、アドレス区間でアドレス電極（Ａ電極）にピクセルの輝度を表現するＰＤＰパネルの位置アドレスを表すデータ電圧を印加する。
【００２９】
サステイン電極駆動部４０５は、駆動波形発生部４０３から伝達された駆動波形によってサステイン電極（Ｘ電極及びＹ電極）に電圧を印加する。
【００３０】
ＰＤＰパネル４０６は、３電極のＰＤＰである。サステイン電極駆動部４０５からＸ電極及びＹ電極にサステイン駆動波形が印加され、データ駆動部４０４からＡ電極にアドレスパルスが印加される。このようにＸ電極、Ｙ電極、及びＡ電極に各駆動波形及びアドレスによる電圧が印加されてディスプレイ映像のピクセルの輝度を表現できる。
【００３１】
本発明によるＰＤＰ装置１には、デジタルＴＶ、ＰＤＡ、ウェブパッド、及び携帯電話などが含まれうる。
【００３２】
以下では、ＰＤＰ装置１の駆動波形発生部４０３を詳細に説明する。
【００３３】
図５は、本発明による駆動波形発生部４０３のブロック構成図である。本発明による駆動波形発生部４０３は、第１イベント波形発生部５０１、第２イベント波形発生部５０２、及びイベント波形割当て部５０３を備える。
【００３４】
イベント波形割当て部５０３は、偶数の光波を発生させるための第１イベント波形及び奇数の光波を発生させるための第２イベント波形をサブフィールドに割当てる。すなわち、サブフィールド処理部４０２から転換タイミング信号を受け、選択されたサブフィールドに対してグレーレベルの線形性が保証されるように第１イベント波形及び第２イベント波形のうち何れか一つを選択する。特に、グレーレベルによって表現される実際輝度が理論的に要求された輝度と同一になるようにイベント波形を選択する。イベント波形を選択する具体的な方法は、後述する。
【００３５】
第１イベント波形発生部５０１は、割当てられたイベント波形によって、偶数の光波を発生させるためのサステインパルスを出力する。すなわち、選択された各サブフィールドに対して割当てられた第１イベント波形によって、偶数の光波を発生させるＸサステインパルス及びＹサステインパルスを出力する。
【００３６】
第２イベント波形発生部５０２は、割当てられたイベント波形によって、奇数の光波を発生させるためのサステインパルスを出力する。すなわち、選択された各サブフィールドに対して割当てられた前記第２イベント波形によって、奇数の光波を発生させるＸサステインパルス及びＹサステインパルスを出力する。
【００３７】
前記のような構成に基づいて本発明の望ましい実施例による、サブフィールド方式によるＰＤＰ装置を駆動する方法を説明すれば、次の通りである。特に、本発明による第１イベント波形、第２イベント波形、及び実際駆動になるサステインパルスについて詳細に説明する。
【００３８】
図６Ａ及び図６Ｂは、本発明による第１イベント波形及び第２イベント波形を表す図である。
【００３９】
図６Ａを参照すれば、偶数の光波を発生させる第１イベント波形が示されている。
【００４０】
第１イベント波形は、Ｙ電極のサステインパルスＶｓ１からサステイン区間が始まって、Ｘ電極とＹ電極交互にサステインパルス（Ｘ電極のＶｓ１ないしＶｓ
Ｎ−１、Ｙ電極のＶｓ２ないしＶｓ Ｎ）が発生し、Ｘ電極の最後の正常サステインパルスＶｓ Ｎ−１の次にサステインパルスより幅の狭いＸ電極のサステインパルスＶｓ Ｎが印加され、Ｘ電極の消去パルスが最後に発生することによってサステイン区間が終了する駆動波形である。
【００４１】
点線で表示した部分は、Ｘ電極の最後の正常サステインパルスＶｓ
Ｎ−１の次にサステインパルスより幅の狭いＸ電極のサステインパルスＶｓ Ｎが発生したことを表す。
【００４２】
従来には、サステインパルスの数がＸ電極のサステインパルスＮ−１個とＹ電極のサステインパルスの数Ｎ個とを合算した２Ｎ−１であって、常に奇数個であった（図３Ａ参照）。しかし、本発明によれば、前述したようにＸ電極の最後の正常サステインパルスＶｓ  Ｎ−１の次にサステインパルスより幅の狭いＸ電極のサステインパルスＶｓ  Ｎが追加されることによって、サステインパルスの数は偶数である２Ｎ個となる。これにより、ピクセルの輝度を表現する光波もサステインパルスの数のように２Ｎの偶数個が発生する。
【００４３】
図６Ｂを参照すれば、奇数の光波を発生させる第２イベント波形が示されている。
【００４４】
第２イベント波形は、Ｙ電極のサステインパルスＶｓ１からサステイン区間が始まって、Ｘ電極とＹ電極交互にサステインパルス（Ｘ電極のＶｓ１ないしＶｓＮ−１、Ｙ電極のＶｓ２ないしＶｓ  Ｎ−１）が発生するが、Ｙ電極のサステインパルスＶｓ
Ｎが最後に発生し、Ｘ電極の最後のサステインパルスの次にＸ電極の消去パルスが最後に発生することによってサステイン区間が終了する駆動波形である。これにより、Ｘ電極はＮ−１個、Ｙ電極はＮ個のサステインパルスが発生するので、２Ｎ−１個の奇数のサステインパルスを有し、光波も２Ｎ−１の奇数個が発生する。
【００４５】
以下では、イベント波形を割当てる具体的な方法を説明する。
【００４６】
図７Ａ及び図７Ｂは、本発明によるイベント波形を利用したサステインパルス及び光波形の一例を表す参考図である。
【００４７】
前述した図２を参照すれば、グレーレベル１を表現するためにサブフィールドＳＦ１、グレーレベル２を表現するためにサブフィールドＳＦ２、グレーレベル４を表現するためにサブフィールドＳＦ３が選択される。
【００４８】
図７Ｂを参照すれば、グレーレベル１  ＳＦ１、グレーレベル２  ＳＦ２、及びグレーレベル４  ＳＦ３に対して要求される輝度はそれぞれ５、１０、２０である。したがって、グレーレベル１に対応するサブフィールドＳＦ１の場合、要求輝度が奇数である５であるので、奇数の光波を発生させる第２イベント波形を割当てれば良い。
【００４９】
一方、グレーレベル２に対応するサブフィールドＳＦ２の場合、要求輝度が偶数である１０であるので、偶数の光波を発生させる第１イベント波形を割当てなければならない。また、グレーレベル４に対応するサブフィールドＳＦ３の場合、要求輝度が偶数である２０であるので、偶数の光波を発生させる第１イベント波形を割当てなければならない。
【００５０】
言い換えれば、各サブフィールドに対してグレーレベルと表現される実際輝度とが線形性を維持するように適切に第１イベント波形及び第２イベント波形のうち何れか一つを選択しなければならない。すなわち、実際輝度と要求される輝度とが同一になるようにイベント波形を選択すれば良い。
【００５１】
割当てられたイベント波形による実際駆動波形を表示すれば、図７Ａの通りである。
【００５２】
図７Ａを参照すれば、サブフィールドＳＦ１の場合、第２イベント波形が割当てられるので、奇数である５個のサステインパルス及び光波を得る。これに比べてサブフィールドＳＦ２及びＳＦ３の場合、第１イベント波形が割当てられるので、偶数である１０及び２０個のサステインパルス及び光波を得る。したがって、図７Ｂに示されたように、グレーレベル１，２，３，４，．．．に対して実際輝度が５，１０，１５，２０，．．．と表現されるので、グレーレベルと実際輝度間に線形性が表れる。
【００５３】
一方、前述した図３Ｂを参照すれば、従来の技術による場合、グレーレベル１，２，３，４，．．．に対して実際輝度が５，９，１４，１９，．．．と表現されるので、グレーレベルと実際輝度間に線形性が保証されない。
【００５４】
したがって、本発明によれば、グレーレベルの表現に線形性が保証されるので、さらに滑らかにピクセルの輝度を表現できて高画質になりうる。
【００５５】
図８Ａ、図８Ｂ、及び図８Ｃは、本発明によってグレーレベルの線形性が向上した実験結果を表す参考図である。
【００５６】
図８Ａ、図８Ｂ、及び図８Ｃを参照すれば、相異なる多様なデジタル映像に対して本発明によって階調表現をした結果を表示する。実験結果を通じて、本発明による場合、従来の技術に比べてグレーレベルの線形性が向上したことが分かる。
【００５７】
以下では、前述した説明に基づいて本発明によってサブフィールド方式のＰＤＰ装置を駆動する方法を整理する。
【００５８】
まず、偶数の光波を発生させるための第１イベント波形及び奇数の光波を発生させるための第２イベント波形をサブフィールドに割当てる。
【００５９】
すなわち、グレーレベルを表現するための各サブフィールドに対して、グレーレベルの線形性が保証されるように前記第１イベント波形及び前記第２イベント波形のうち何れか一つを選択する。グレーレベルの線形性が保証されるようにイベント波形を選択するために、前述したように、グレーレベルを表現するための各サブフィールドに対して、グレーレベルによって表現される実際輝度が理論的に要求された輝度と同一になるように前記第１イベント波形及び前記第２イベント波形のうち何れか一つを選択する。
【００６０】
次いで、各サブフィールドに割当てられたイベント波形によって、光波を発生させるためのサステインパルスを出力する。
【００６１】
言い換えれば、第１イベント波形が割当てられた場合には、偶数の光波を発生させるＸ電極のサステインパルス及びＹ電極のサステインパルスを出力し、第２イベント波形が割当てられた場合には、奇数の光波を発生させるＸ電極のサステインパルス及びＹ電極のサステインパルスを出力する。この時、偶数または奇数の光波を発生させる第１イベント波形及び第２イベント波形は、前述した通りである。
【００６２】
これにより、各サブフィールドに要求される輝度によって適切に偶数または奇数の光波を発生させる第１または第２イベント波形を適切に割当て、これにより、Ｘ電極、及びＹ電極のサステインパルスを発生させることによって、実際輝度が要求される輝度と同一になり、ピクセルの輝度（階調）の線形性を保証できる。
【００６３】
以上の説明は、本発明の一実施例に過ぎず、当業者は本発明の本質的特性から逸脱しない範囲で変形された形態に具現できる。したがって、本発明の範囲は、前述した実施例に限定されず、特許請求の範囲に記載された内容と同等な範囲内にある多様な実施形態が含まれるように解析されなければならない。
【産業上の利用可能性】
【００６４】
本発明はＰＤＰ装置に係り、例えば、デジタルＴＶ、ＰＤＡ、ウェブパッド、携帯電話などに利用されうる。
【図面の簡単な説明】
【００６５】
【図１】サブフィールド方式によるグレーレベル表現方法を表す概略図である。
【図２】サブフィールド重量を利用したグレーレベル表現方法を表す参考図である。
【図３Ａ】従来のサブフィールド方式による各サステインパルス及び光波型の一例を表す参考図である。
【図３Ｂ】従来のサブフィールド方式による各サステインパルス及び光波型の一例を表す参考図である。
【図４】本発明によるＰＤＰ装置の概要図である。
【図５】本発明による駆動波形発生部のブロック構成図である。
【図６Ａ】本発明による第１イベント波形及び第２イベント波形を表す図である。
【図６Ｂ】本発明による第１イベント波形及び第２イベント波形を表す図である。
【図７Ａ】本発明によるイベント波形を利用したサステインパルス及び光波形の一例を表す参考図である。
【図７Ｂ】本発明によるイベント波形を利用したサステインパルス及び光波形の一例を表す参考図である。
【図８Ａ】本発明によってグレーレベルの線形性が向上した実験結果を表す参考図である。
【図８Ｂ】本発明によってグレーレベルの線形性が向上した実験結果を表す参考図である。
【図８Ｃ】本発明によってグレーレベルの線形性が向上した実験結果を表す参考図である。
【符号の説明】
【００６６】
４０３  駆動波形発生部
５０１  第１イベント波形発生部
５０２  第２イベント波形発生部
５０３  イベント波形割当て部
【図１】
2005070784.tif 000003
【図２】
2005070784.tif 000004
【図３Ａ】
2005070784.tif 000005
【図３Ｂ】
2005070784.tif 000006
【図４】
2005070784.tif 000007
【図５】
2005070784.tif 000008
【図６Ａ】
2005070784.tif 000009
【図６Ｂ】
2005070784.tif 000010
【図７Ａ】
2005070784.tif 000011
【図７Ｂ】
2005070784.tif 000012
【図８Ａ】
2005070784.tif 000013
【図８Ｂ】
2005070784.tif 000014
【図８Ｃ】
2005070784.tif 000015